(57)【要約】【課題】機器の状態を監視するためのウェブコンテンツを利用者の要求に応じて適切に表示する。【解決手段】統合管理装置ＴＭ並びに各コントローラＣｎにおいて、ウェブコンテンツ（ポータルサイトやホームページＨＰ１〜ＨＰ３）を構成するアイコンや文字などの部品について端末装置が具備する表示デバイスの画面に表示されたときの大きさなどの見た目が異なる複数種類の部品データを記憶部５並びに各メモリ部１６，３５，４５に予め記憶する。そして、統合管理装置ＴＭや各コントローラＣｎにおいて、端末装置から宅内ネットワーク経由で受け取った指示メッセージにより指示された部品データを選択してウェブコンテンツを作成可能としている。【選択図】図１
2008211383.tif 000002
【特許請求の範囲】
【請求項１】
それぞれに１乃至複数の機器の状態をコントローラで監視する１乃至複数のサブシステムと、各サブシステムのコントローラと伝送路を介して接続される統合管理装置と、前記機器の状態を含む各種の情報を表示する表示デバイスを具備し統合管理装置に伝送路を介して接続される１乃至複数の端末装置とを備え、各コントローラと統合管理装置と端末装置が伝送路を介してデータ通信を行うＬＡＮ（ローカル・エリア・ネットワーク）を構成し、
各コントローラは、アイコンや文字によって監視対象の機器に関する情報を表示するためのウェブコンテンツを保持し、
統合管理装置は、アイコンや文字によって各サブシステムのコントローラが保持するウェブコンテンツへのリンクを表示するためのウェブコンテンツを保持し、
端末装置は、統合管理装置からＬＡＮ経由で取得したウェブコンテンツを表示デバイスの画面に表示するとともに当該ウェブコンテンツのリンクを辿って各コントローラが保持するウェブコンテンツを取得し且つ表示デバイスの画面に表示する機器監視システムであって、
統合管理装置は、前記ウェブコンテンツを構成するアイコンや文字などの部品について表示デバイスの画面に表示されたときの大きさなどの見た目が異なる複数種類の部品データを記憶し、端末装置からＬＡＮ経由で受け取った指示メッセージにより指示された部品データを選択して前記ウェブコンテンツを作成することを特徴とする機器監視システム。
【請求項２】
統合管理装置は、複数の端末装置毎に前記ウェブコンテンツを作成して保持することを特徴とする請求項１記載の機器監視システム。
【請求項３】
統合管理装置は、何れかの端末装置から当該端末装置以外の他の端末装置向けの前記ウェブコンテンツの送信を要求するメッセージをＬＡＮ経由で受け取った場合に当該要求元の端末装置に対して前記他の端末装置向けのウェブコンテンツをＬＡＮ経由で伝送することを特徴とする請求項２記載の機器監視システム。
【請求項４】
各コントローラは、前記ウェブコンテンツを構成するアイコンや文字などの部品について表示デバイスの画面に表示されたときの大きさなどの見た目が異なる複数種類の部品データを記憶し、端末装置からＬＡＮ経由で受け取った指示メッセージにより指示された部品データを選択して前記ウェブコンテンツを作成することを特徴とする請求項１〜３の何れか１項に記載の機器監視システム。
【請求項５】
各コントローラは、端末装置からの指示に従って前記ウェブコンテンツを作成したときに当該ウェブコンテンツに使用した部品データの情報を他の全てのコントローラに対してＬＡＮ経由で通知することを特徴とする請求項４記載の機器監視システム。
【請求項６】
各コントローラは、端末装置からの指示に従って前記ウェブコンテンツを作成したときに当該ウェブコンテンツに使用した部品データの情報を統合管理装置に対してＬＡＮ経由で通知し、
統合管理装置は、何れかのコントローラから受け取った前記部品データの情報を他のコントローラに対してＬＡＮ経由で転送することを特徴とする請求項４記載の機器監視システム。
【発明の詳細な説明】
【技術分野】
【０００１】
本発明は、機器の状態を監視する機器監視システムに関するものである。
【背景技術】
【０００２】
従来、エアコンや照明器具あるいは防犯センサや防災センサなどの様々な機器の状態を監視する機器監視システムとして、特許文献１に記載されているようなものが提供されている。かかる従来システムは、前記機器の状態を監視する監視装置にネットワーク通信機能を搭載し、かかるネットワーク通信機能を利用し、パーソナル・コンピュータのような端末装置から宅内ネットワーク経由で監視装置にアクセスし、監視装置が監視する機器の状態を端末装置で取得して表示等を行うものである。
【特許文献１】特開２００６−４２４９６号公報
【発明の開示】
【発明が解決しようとする課題】
【０００３】
ところで、上記従来例では監視装置がアイコンや文字によって監視対象の機器に関する情報を表示するためのウェブコンテンツを保持しており、端末装置に搭載されたウェブブラウザで当該ウェブコンテンツを再生することで端末装置が具備する表示デバイスの画面にアイコンや文字などが表示され、それらのアイコンや文字などによって機器の状態を知ることができるようになっていた。
【０００４】
しかしながら、前記ウェブコンテンツで使用されるアイコンや文字などは端末装置の表示デバイスの画面サイズによって表示されたときの大きさ等が変化するので、必ずしも適切に表示されているとは言い難かった。
【０００５】
本発明は上記事情に鑑みて為されたものであり、その目的は、機器の状態を監視するためのウェブコンテンツを利用者の要求に応じて適切に表示することができる機器監視システムを提供することにある。
【課題を解決するための手段】
【０００６】
請求項１の発明は、上記目的を達成するために、それぞれに１乃至複数の機器の状態をコントローラで監視する１乃至複数のサブシステムと、各サブシステムのコントローラと伝送路を介して接続される統合管理装置と、前記機器の状態を含む各種の情報を表示する表示デバイスを具備し統合管理装置に伝送路を介して接続される１乃至複数の端末装置とを備え、各コントローラと統合管理装置と端末装置が伝送路を介してデータ通信を行うＬＡＮ（ローカル・エリア・ネットワーク）を構成し、各コントローラは、アイコンや文字によって監視対象の機器に関する情報を表示するためのウェブコンテンツを保持し、統合管理装置は、アイコンや文字によって各サブシステムのコントローラが保持するウェブコンテンツへのリンクを表示するためのウェブコンテンツを保持し、端末装置は、統合管理装置からＬＡＮ経由で取得したウェブコンテンツを表示デバイスの画面に表示するとともに当該ウェブコンテンツのリンクを辿って各コントローラが保持するウェブコンテンツを取得し且つ表示デバイスの画面に表示する機器監視システムであって、統合管理装置は、前記ウェブコンテンツを構成するアイコンや文字などの部品について表示デバイスの画面に表示されたときの大きさなどの見た目が異なる複数種類の部品データを記憶し、端末装置からＬＡＮ経由で受け取った指示メッセージにより指示された部品データを選択して前記ウェブコンテンツを作成することを特徴とする。
【０００７】
請求項２の発明は、請求項１の発明において、統合管理装置は、複数の端末装置毎に前記ウェブコンテンツを作成して保持することを特徴とする。
【０００８】
請求項３の発明は、請求項２の発明において、統合管理装置は、何れかの端末装置から当該端末装置以外の他の端末装置向けの前記ウェブコンテンツの送信を要求するメッセージをＬＡＮ経由で受け取った場合に当該要求元の端末装置に対して前記他の端末装置向けのウェブコンテンツをＬＡＮ経由で伝送することを特徴とする。
【０００９】
請求項４の発明は、請求項１〜３の何れか１項の発明において、各コントローラは、前記ウェブコンテンツを構成するアイコンや文字などの部品について表示デバイスの画面に表示されたときの大きさなどの見た目が異なる複数種類の部品データを記憶し、端末装置からＬＡＮ経由で受け取った指示メッセージにより指示された部品データを選択して前記ウェブコンテンツを作成することを特徴とする。
【００１０】
請求項５の発明は、請求項４の発明において、各コントローラは、端末装置からの指示に従って前記ウェブコンテンツを作成したときに当該ウェブコンテンツに使用した部品データの情報を他の全てのコントローラに対してＬＡＮ経由で通知することを特徴とする。
【００１１】
請求項６の発明は、請求項４の発明において、各コントローラは、端末装置からの指示に従って前記ウェブコンテンツを作成したときに当該ウェブコンテンツに使用した部品データの情報を統合管理装置に対してＬＡＮ経由で通知し、統合管理装置は、何れかのコントローラから受け取った前記部品データの情報を他のコントローラに対してＬＡＮ経由で転送することを特徴とする。
【発明の効果】
【００１２】
請求項１，４の発明によれば、例えば、端末装置の表示デバイスで表示される際のアイコンや文字の大きさを利用者の好みに応じて変更することが可能となり、その結果、機器の状態を監視するためのウェブコンテンツを利用者の要求に応じて適切に表示することができる。  
【００１３】
請求項２の発明によれば、端末装置毎にアイコンや文字の大きさなどを変更することができてウェブコンテンツを利用者の要求に応じてさらに適切に表示することができる。
【００１４】
請求項３の発明によれば、一の端末装置のウェブコンテンツを参照して他の端末装置のウェブコンテンツを容易に変更することができる。
【００１５】
請求項５の発明によれば、一のコントローラに対して行ったウェブコンテンツの変更を他の全てのコントローラに容易に反映させることができる。
【００１６】
請求項６の発明によれば、一のコントローラに対して行ったウェブコンテンツの変更を他の必要なコントローラに容易に反映させることができる。
【発明を実施するための最良の形態】
【００１７】
以下、住宅内に設置された住宅設備、例えば、エアコンや照明器具あるいは種々のセキュリティ機器などの制御並びに監視を行う住宅設備監視制御システムに本発明の技術思想を適用した実施形態について図面を参照して詳細に説明する。
【００１８】
本実施形態の住宅設備監視制御システムは、図１に示すように住宅内に設置されたコントローラＣ１，Ｃ２，Ｃ３が住宅設備（機器）の制御並びに監視を行う複数（図示例では３つ）のサブシステムＳＳ１，ＳＳ２，ＳＳ３と、各サブシステムＳＳｎのコントローラＣｎ（ｎ＝１，２，３）と伝送路（エンハンスト・カテゴリ５若しくはカテゴリ６のＬＡＮケーブル）を介して接続される統合管理装置ＴＭと、統合管理装置ＴＭにＬＡＮケーブルを介して接続される複数（図示例では、２つ）の端末装置（パーソナル・コンピュータＰＣ並びに表示制御装置ＣＶ）と、監視領域（例えば、宅内のリビングや玄関など）を撮像する１乃至複数のネットワークカメラＮＣ（図示例では１つ）とを備え、これら複数のコントローラＣと統合管理装置ＴＭと端末装置とネットワークカメラＮＣとが汎用の通信プロトコル（ＴＣＰ／ＩＰ、ＵＤＰ、ＨＴＴＰなど）を利用した宅内ネットワークを構成している。この宅内ネットワークは、100BASE-TX（IEEE 802.3u）規格に準拠したローカル・エリア・ネットワーク（ＬＡＮ）であって、スイッチングハブに相当する統合管理装置ＴＭに、ネットワーク端末に相当する各サブシステムＳＳｎのコントローラＣｎや端末装置（パーソナルコンピュータＰＣ並びに表示制御装置ＣＶ）並びにネットワークカメラＮＣなどがスター配線で接続されている。さらに統合管理装置ＴＭは、インターネットに接続するための回線の種類（電話回線、ＣＡＴＶ回線、光ファイバ回線など）に応じてＡＤＳＬモデムやケーブルモデムあるいはＯＮＵ（Optical Network Unit）などのインターネット接続装置ＭＤと通信ケーブル（通常、ＬＡＮケーブル）によって接続され、インターネット接続装置ＭＤが介在することで宅内ネットワークが外部ネットワークたるインターネットに接続される。なお、この種のインターネット接続装置ＭＤは従来周知であるから詳細な構成についての図示並びに説明は省略する。
【００１９】
また、宅内ネットワークには住宅から離れた遠隔地に設置されたセンタ装置（センタサーバ）ＳＶがインターネットを通じて接続されており、後述するようにインターネットに接続可能なノート型のパーソナルコンピュータ、携帯電話機ＭＰ、ＰＤＡ（Personal Digital Assistance）等からなる携帯型の端末装置とセンタ装置ＳＶとの間でインターネットを介したデータ通信を行うことにより、例えば、携帯電話機ＭＰを使って外出先から住宅内の機器の制御や監視を行ったり、ネットワークカメラＮＣで撮像した画像を閲覧することができる。センタ装置ＳＶは、ネットワーク機能を有する汎用のコンピュータ装置で構成されており、携帯電話機ＭＰ等の端末装置からインターネットを通じて送信されるコントローラＣｎ宛のメッセージやコントローラＣｎから宅内ネットワークに属さない端末装置に宛て送信されるメッセージを中継する機能を有している。但し、上述のようなインターネット接続機能を有する携帯型の端末装置やセンタ装置ＳＶは従来周知であるから、詳細な構成についての図示並びに説明は省略する。
【００２０】
統合管理装置ＴＭは、図２に示すようにそれぞれにＬＡＮケーブルを介してサブシステムＳＳｎのコントローラＣｎや端末装置並びにネットワークカメラＮＣが接続される複数の通信ポート２i（ｉ＝１，２，…）と、ＬＡＮケーブルを介してインターネット接続装置ＭＤが接続される通信ポート３と、通信ポート２i，３間の伝送経路を切り換えるとともに通信ポート２i，３間で転送されるパケットの破棄や通信ポート２i又は３の遮断若しくは制限等の処理（以下、パケット処理と呼ぶ。）を実行するパケット処理部４と、ＣＰＵを主構成要素としパケット処理部４を制御して伝送経路を切り換えさせる機能（経路切換機能）やパケットに対するウイルスチェックやフィルタリング等を実行する機能（ネットワークセキュリティ機能）、サブシステムの構成管理機能（後述する）等を有する制御部１と、コントローラＣｎやインターネット接続装置ＭＤのＭＡＣ（Media Access Control：媒体アクセス制御）アドレスやプライベートのＩＰアドレス、各サブシステムＳＳｎに関する制御情報や監視情報を記憶するための記憶部５とを備えている。通信ポート２i，３は、ＬＡＮケーブルの先端に設けられているＲＪ−４５のモジュラプラグが挿抜自在に接続されるモジュラジャックを具備している。また、パケット処理部４は多数のスイッチ要素を具備し、制御部１の経路切換機能によってスイッチ要素が駆動されることにより任意の１つの通信ポート２i又は３と他の１乃至複数の通信ポート２i又は３との間の伝送経路を切り換えたり、あるいは制御部１のネットワークセキュリティ機能によって異常（例えば、不正なパケットやネットワークに支障を来すほど大量のパケットの流入または流出）が生じている通信ポート２i又は３を遮断若しくは制限するものである。記憶部５は不揮発性メモリからなり、各通信ポート２iに接続されているコントローラＣｎや端末装置並びに通信ポート３に接続されているインターネット接続装置ＭＤの名前とＭＡＣアドレス並びにＩＰアドレスを各通信ポート２i，３と対応させたリストを記憶している。但し、通信ポート２i，３に接続されているコントローラＣｎや端末装置並びにインターネット接続装置ＭＤのＭＡＣアドレスを取得する方法については従来周知であるから詳細な説明は省略する。
【００２１】
制御部１は、通信ポート２i，３からパケット処理部４に入ってくるパケットの送信先のアドレス（ＭＡＣアドレス）を監視しており、例えば、通信ポート３から入ってきたパケットの送信先のアドレスを記憶部５に記憶しているリストのＭＡＣアドレスと照合し、送信先のアドレスと一致するＭＡＣアドレスのコントローラＣｎや端末装置（例えば、コントローラＣ１）が接続されている通信ポート２1と通信ポート３との間にのみ伝送経路が形成されるようにパケット処理部４を制御し、形成された伝送経路を介してパケットを通信ポート２1に送り出させている（経路切換機能）。また、制御部１では、通信ポート２i，３を通過するパケットを常時監視し、異常なパケットを破棄したり、あるいは上述のようにパケット処理部４を制御して異常が生じている通信ポート２i又は３を遮断若しくは制限させている（ネットワークセキュリティ機能）。さらに、制御部１はＵＰｎＰ（ユニバーサル・プラグ・アンド・プレイ）のコントロールポイントの機能を実装しており、後述するようにＵＰｎＰにおいてデバイスの検出を行うＳＳＤＰ（Simple Service Discovery Protocol）を利用してＵＰｎＰのデバイスの機能を実装した各コントローラＣｎ並びにネットワークカメラＮＣを自動的に検出するようになっている。また、統合管理装置ＴＭや各コントローラＣｎ並びに端末装置、ネットワークカメラＮＣのＩＰアドレスについても、ＵＰｎＰのアドレッシング機能によって自動的に決定される。かかるアドレッシング機能は、ＤＨＣＰ（Dynamic Host Configuration Protocol）クライアント機能を基本とし、例えば、図示しないルータ（統合管理装置ＴＭとインターネット接続装置ＭＤの間に介在する所謂ブロードバンドルータ）が搭載するＤＨＣＰサーバから自動的に割り当てられる。但し、ＵＰｎＰに関する上記機能についても従来周知であるから詳細な説明は省略する。
【００２２】
ところで、統合管理装置ＴＭは、合成樹脂成形品からなる箱形のハウジング（図示せず）に上述した各部を収納して構成されているが、当該ハウジングは住宅内の壁面に設置されている住宅用分電盤（住宅盤）に収納可能となっている。但し、当該ハウジングの構造は一例であって、必ずしも住宅盤に収納される必要はない。
【００２３】
次に、個々のサブシステムＳＳｎについて説明する。
【００２４】
サブシステムＳＳ１は、照明器具や空調機器（エアコン）並びに電気錠等の住宅設備（設備機器）Ｘ１，２と、設備機器Ｘ１，２の制御並びに監視を行うコントローラ（以下、設備機器コントローラと呼ぶ。）Ｃ１とを備えている。
【００２５】
設備機器コントローラＣ１は、図３に示すようにマイコンを主構成要素とする設備機器コントローラ制御部１０と、宅内ネットワークのＬＡＮケーブルが接続され設備機器コントローラ制御部１０と宅内ネットワークのインタフェースを行うＬＡＮインタフェース部１１と、日本電機工業会（JEMA）の統一規格に適合した設備機器Ｘ１（エアコンや給湯器など）と設備機器コントローラ制御部１０のインタフェースを行うＨＡ（ホームオートメーション）インタフェース部１２と、前記ＪＥＭＡ規格に適合したＨＡ端子（図示せず）を有するＨＡ端子部１３と、当該ＪＥＭＡ規格に適合しない設備機器Ｘ２（照明器具）への給電経路に挿入されるリレー（図示せず）を有するリレー端子部１５と、設備機器コントローラ制御部１０の制御下でリレー端子部１５が有するリレーを駆動する照明器具インタフェース部１４と、マイコンで実行するプログラムや設備機器Ｘ１，Ｘ２の動作状態などの制御情報及び監視情報を記憶するメモリ部１６と、現在時刻を計時する計時部１７とを備えている。また、図示は省略しているが、商用電源から所望の直流電源を作成して設備機器コントローラ制御部１０やその他の各部に動作電源を供給するための電源回路も備えている。
【００２６】
設備機器コントローラ制御部１０は、ＬＡＮインタフェース部１１を通じて端末装置から制御要求のメッセージを受け取ったときにＨＡインタフェース部１２あるいは照明器具インタフェース部１４を介して各設備機器Ｘ１，Ｘ２を個別に制御して運転（照明器具Ｘ２の場合は点灯）と停止（照明器具Ｘ２の場合は消灯）を切り換え、ＬＡＮインタフェース部１１を通じて端末装置から監視要求のメッセージを受け取ったときにＨＡインタフェース部１２あるいは照明器具インタフェース部１４を介して各設備機器Ｘ１，Ｘ２の動作状態（運転＜点灯＞又は停止＜消灯＞）を個別に取得するとともに、制御要求や監視要求に対する応答（各設備機器Ｘ１，Ｘ２の動作状態）のメッセージをＬＡＮインタフェース部１１より要求メッセージの送信元である端末装置に向けて送信させる機能（制御監視機能）を有する。また、設備機器コントローラ制御部１０は、ＵＰｎＰのデバイスの機能を有するとともに、自己の配下にある設備機器Ｘ１，Ｘ２の名称並びに動作状態を文字やアイコンで表示するためのウェブコンテンツ（ウェブページ）を作成し、端末装置からの要求に応じて当該ウェブコンテンツをＬＡＮインタフェース部１１より端末装置に提供（配信）する機能（ウェブサーバ機能）を有している。なお、メモリ部１６には設備機器コントローラＣ１のＵＰｎＰデバイス情報（機器名称、種類、サービスの一覧等）が格納されており、後述するように新たに宅内ネットワークに参加した際、設備機器コントローラ制御部１０がメモリ部１６に格納されているデバイス情報をＵＰｎＰのコントロールポイント（統合管理装置ＴＭ）に通知するようになっている（ディスクリプション機能）。
【００２７】
図１３（ａ）は設備機器コントローラ制御部１０が提供するウェブコンテンツの入り口となるホームページＨＰ１を示しており、サブシステムＳＳ１を示す名称「リモコン」とともに日時を示す数字が上部に表示され、他のページに切り換えるための操作釦に相当するアイコンＩ１１〜Ｉ１３が下部に表示され、各設備機器Ｘの名称並びに動作状態を示す文字「リビング照明消灯」、「子供部屋照明消灯」、「リビングエアコン停止」と、各設備機器Ｘの動作状態を切り換えるための操作釦に相当するアイコンＩ１４〜Ｉ１６ととが中央部に表示されている。
【００２８】
また、サブシステムＳＳ２は、図１に示すように住宅内における異常発生を検知する１乃至複数種類のセキュリティ機器Ｙ１，Ｙ２と、各セキュリティ機器Ｙ１，Ｙ２の検知情報を収集するセキュリティ受信器ＳＲと、セキュリティ受信器ＳＲが収集した検知情報を受け取るとともに受け取った当該検知情報を応答メッセージにより宅内ネットワークを通じて伝送するコントローラ（以下、セキュリティコントローラと呼ぶ。）Ｃ２とで構成されるセキュリティシステムである。
【００２９】
セキュリティ機器Ｙ１は、例えば、人体から放射される熱線を検出することによる監視領域内への人の侵入検知や、窓に設置されているクレセント錠の施解錠検知、窓の開閉検知等を行う防犯用のセンサを具備し、センサで異常（人の侵入やクレセント錠の解錠等）を検知したときに当該検知情報を無線信号（若しくは有線信号）でセキュリティ受信器ＳＲに送信する機能を有している。また、セキュリティ機器Ｙ２は、煙や熱を検出することによる火災検知や都市ガスあるいはＬＰガスを検出することによるガス漏れ検知等を行う防災用のセンサを具備し、センサで異常（火災発生やガス漏れ等）を検知したときに当該検知情報を無線信号（若しくは有線信号）でセキュリティ受信器ＳＲに送信する機能を有している。但し、上述のような機能を有するセキュリティ機器Ｙ１，Ｙ２については従来周知であるから、詳細な構成についての図示並びに説明は省略する。
【００３０】
セキュリティ受信器ＳＲは、セキュリティ機器Ｙ１，Ｙ２から送信された無線信号（若しくは有線信号）を受信することで検知情報を収集し、さらに当該検知情報に対応した処理、例えば、火災やガス漏れあるいは不審者の侵入等の異常発生を家人に知らせるために警報音を鳴動する処理を行うとともに検知された異常の種類や場所等の検知情報を無線信号（若しくは有線信号）でセキュリティコントローラＣ２に送信する処理を行う。ここで、セキュリティ機器Ｙ１，Ｙ２には固有の識別符号（ＩＤ）が割り当てられており、セキュリティ受信器ＳＲでは当該識別符号によって個々のセキュリティ機器Ｙ１，Ｙ２の検知情報を識別可能となっている。また、セキュリティ受信器ＳＲは、上述のようにセキュリティ機器Ｙ１，Ｙ２から検知情報を収集する警戒状態と検知情報を収集しない非警戒状態の２つの動作状態があり、例えば、ワイヤレス送信機（図示せず）から送信されるワイヤレス信号によって警戒状態と非警戒状態の２つの動作状態が択一的に切り換えられる。但し、ワイヤレス送信機にも固有の識別符号が割り当てられており、予め登録されている識別符号以外の識別符号が割り当てられたワイヤレス送信機では動作状態の切換が行えないようになっている。なお、上述のような機能を有するセキュリティ受信器ＳＲについては従来周知であるから、詳細な構成についての図示並びに説明は省略する。
【００３１】
セキュリティコントローラＣ２は、図４に示すようにマイコンを主構成要素とするセキュリティコントローラ制御部３０と、宅内ネットワークのＬＡＮケーブルが接続されセキュリティコントローラ制御部３０と宅内ネットワークのインタフェースを行うＬＡＮインタフェース部３１と、セキュリティ受信器ＳＲとの間で無線（若しくは有線）によるデータ通信を行う通信部３２と、ＬＥＤ等の発光素子で電源のオン／オフ状態や通信状態等を表示する表示部３３と、押釦スイッチ等を有する操作部３４と、マイコンで実行するプログラムやセキュリティ機器Ｙ１，Ｙ２から収集した検知情報を記憶するメモリ部３５とを備えている。また、図示は省略しているが、商用電源から所望の直流電源を作成してセキュリティコントローラ制御部３０やその他の各部に動作電源を供給するための電源回路も備えている。
【００３２】
セキュリティコントローラ制御部３０は、セキュリティ受信器ＳＲから通信部３２を介して受け取った検知情報を応答メッセージとして宅内ネットワーク（あるいは宅内ネットワークと外部ネットワーク）を通じて端末装置に送信する機能（警報機能）や、端末装置から制御要求のメッセージを受け取ったときに通信部３２を介してセキュリティ受信器ＳＲにコマンドを送信してセキュリティ受信器ＳＲの動作状態（警戒状態又は非警戒状態）を切り換えたり、あるいはセキュリティ受信器ＳＲによる警報音の鳴動を停止させたり、端末装置から監視要求のメッセージを受け取ったときに通信部３２を介してセキュリティ受信器ＳＲにコマンドを送信してセキュリティ受信器ＳＲの動作状態（警戒状態又は非警戒状態）を通知させるとともに、制御要求や監視要求に対する応答（セキュリティ受信器ＳＲの動作状態や警報音の鳴動状況等）のメッセージをＬＡＮインタフェース部３１より要求メッセージの送信元である端末装置に向けて送信させる機能（制御監視機能）を有する。また、セキュリティコントローラ制御部３０は、ＵＰｎＰのデバイスの機能を有するとともに、自己の配下にあるセキュリティ受信器ＳＲの動作状態等を文字やアイコンで表示するためのウェブコンテンツ（ウェブページ）を作成し、端末装置からの要求に応じて当該ウェブコンテンツをＬＡＮインタフェース部３１より端末装置に提供（配信）する機能（ウェブサーバ機能）と、ネットワークカメラＮＣに代わって画像データを外部ネットワーク経由でセンタ装置ＳＶに転送する機能（代理＜プロキシ＞サーバ機能）とを有している。なお、メモリ部３５にはセキュリティコントローラＣ２のＵＰｎＰデバイス情報（機器名称、種類、サービスの一覧等）が格納されており、新たに宅内ネットワークに参加した際、セキュリティコントローラ制御部３０がメモリ部３５に格納されているデバイス情報をＵＰｎＰのコントロールポイント（統合管理装置ＴＭ）に通知するようになっている。但し、本実施形態ではセキュリティコントローラＣ２を代理サーバ装置としているが、他のコントローラ（設備機器コントローラＣ１又は後述する画像転送コントローラＣ３）を代理サーバ装置としても構わない。
【００３３】
図１３（ｂ）はセキュリティコントローラ制御部３０が提供するウェブコンテンツの入り口となるホームページＨＰ２を示しており、サブシステムＳＳ２を示す名称「セキュリティ」とともに日時を示す数字が上部に表示され、他ページへの切り換えやセキュリティ受信器ＳＲの警戒状態と非警戒状態の切り換え等を行うための操作釦に相当するアイコンＩ２１〜Ｉ２６が下部に表示され、セキュリティ受信器ＳＲの動作モードを示す文字「警戒中」や各セキュリティ機器Ｙ１，Ｙ２（各セキュリティ機器Ｙ１，Ｙ２で監視する監視領域）の名称「玄関」、「窓」、「敷地」、「車」等を示す文字が中央部に表示されている。
【００３４】
サブシステムＳＳ３は、図１に示すように住戸外に設置されるカメラ付きドアホン子器（以下、ドアホン子器と略す。）ＤＳと、人体から放射される熱線を検出することで監視領域内への人の侵入を検知するとともに当該侵入検知時に監視領域を撮像するセンサカメラＳＣと、住戸内に設置されてドアホン子器ＤＳとの間で通話する通話機能並びにドアホン子器ＤＳ並びにセンサカメラＳＣで撮像された画像を表示する機能を有するインターホン親機ＩＭと、インターホン親機ＩＭよりドアホン子器ＤＳやセンサカメラＳＣで撮像された画像を受け取るとともに受け取った当該画像を外部ネットワークを通じてセンタ装置ＳＶに伝送するコントローラ（以下、画像転送コントローラと呼ぶ。）Ｃ３とで構成されるインターホンシステムである。
【００３５】
ドアホン子器ＤＳは、通話用のマイクロホン並びにスピーカや来訪者を撮像するためのカメラを具備し、マイクロホンで集音した通話音声を通話線を介してインターホン親機ＩＭに伝送し且つインターホン親機ＩＭから通話線を介して伝送される通話音声をスピーカから鳴動させる通話機能と、呼出釦が押操作されたときに通話線を介してインターホン親機ＩＭに呼出信号を送信する呼出機能と、カメラ（例えば、動画像を出力するＣＣＤカメラ）で撮像された画像を周波数変調して通話音声に多重化することで通話線を介してインターホン親機ＩＭに伝送する画像伝送機能とを有している。また、センサカメラＳＣは、人体から放射される熱線を検出することで監視領域内への人の侵入を検知する熱線センサや動画像を出力するＣＣＤカメラ等を具備し、信号線を介して監視領域の画像をドアホン子器ＤＳに伝送する機能を有している。なお、ドアホン子器ＤＳに伝送された画像は通話線を介してインターホン親機ＩＭに転送される。
【００３６】
一方、インターホン親機ＩＭは、全体の制御を行うマイコンや音声処理用のＤＳＰ、通話用のマイクロホン並びにスピーカや画像表示用の液晶ディスプレイ、画像や通話音声を記録する不揮発性の半導体メモリ等を具備し、呼出信号を受信したときにスピーカから呼出音を鳴動する機能と、呼出音の鳴動中又は鳴動後の一定時間内に応答釦が押操作されたときにドアホン子器ＤＳとの間に通話線を介した通話路を形成して通話音声を授受する通話機能と、通話中にドアホン子器ＤＳで撮像され且つ伝送される画像（通話相手を撮像した画像）を周波数復調して液晶ディスプレイに表示する機能と、通話中以外でドアホン子器ＤＳ又はセンサカメラＳＣで撮像され且つドアホン子器ＤＳから伝送される画像を周波数復調して液晶ディスプレイに表示する機能（画像モニタ機能）と、留守録設定中に呼出信号を受信した場合に通話線を介してドアホン子器ＤＳから伝送される画像並びに通話音声を不揮発性の半導体メモリに記録する機能（留守録機能）と、センサカメラＳＣで撮像され且つドアホン子器ＤＳより通話線を介して伝送された画像を不揮発性の半導体メモリに記録する機能（センサカメラ録画機能）と、ドアホン子器ＤＳで特定の操作（例えば、呼出釦の長押し）が行われた場合に通常の呼出音と区別可能な通知音で家人の帰宅を通知する機能（帰宅通知機能）とを有している。
【００３７】
而して、来訪者がドアホン子器ＤＳの呼出釦を押操作すると、常時有効である呼出機能によってインターホン親機ＩＭに通話線を介して呼出信号が伝送され、インターホン親機ＩＭにおいてスピーカから呼出音が鳴動されるとともに、通話線を介してインターホン親機ＩＭから電源が供給されることでドアホン子器ＤＳの画像伝送機能が有効になり、ドアホン子器ＤＳのカメラで撮像された画像がインターホン親機ＩＭの液晶ディスプレイに表示される。そして、液晶ディスプレイに表示された画像で来訪者を確認した家人がインターホン親機ＩＭの応答釦を押操作すれば、通話機能によりドアホン子器ＤＳとの間に通話線を介した通話路が形成されてインターホン親機ＩＭとドアホン子器ＤＳとの間においてスピーカとマイクロホンを使った拡声通話（ハンズフリー通話）が可能になるとともに、通話中においてはインターホン親機ＩＭの液晶ディスプレイにドアホン子器ＤＳから伝送される画像を表示させることが可能になる。但し、インターホン親機ＩＭとドアホン子器ＤＳとの間の拡声通話並びに画像伝送は、応答釦が押操作されてから所定時間が経過するか若しくは再度応答釦が押操作されたときに終了する。また、監視領域における不審者の侵入を検知するとセンサカメラＳＣが撮像した監視領域の画像がドアホン子器ＤＳ経由でインターホン親機ＩＭに伝送されて液晶ディスプレイに表示される。但し、上述のような機能を有するインターホン親機ＩＭ、ドアホン子器ＤＳ、センサカメラＳＣについては、従来周知であるから詳細な構成についての図示並びに説明を省略する。
【００３８】
画像転送コントローラＣ３は、図５に示すようにマイコンを主構成要素とする画像転送コントローラ制御部４０と、宅内ネットワークのＬＡＮケーブルが接続され画像転送コントローラ制御部４０と宅内ネットワークのインタフェースを行うＬＡＮインタフェース部４１と、インターホン親機ＩＭとの間で信号線を介したデータ通信を行う通信部４２と、ＬＥＤ等の発光素子で電源のオン／オフ状態や通信状態等を表示する表示部４３と、押釦スイッチ等を有する操作部４４と、マイコンで実行するプログラムやインターホン親機ＩＭから信号線を通じて伝送されるデータ（画像データ及び通話音声データ）を記憶するメモリ部４５とを備えている。また、図示は省略しているが、商用電源から所望の直流電源を作成して画像転送コントローラ制御部４０やその他の各部に動作電源を供給するための電源回路も備えている。
【００３９】
画像転送コントローラ制御部４０は、ドアホン子器ＤＳ並びにセンサカメラＳＣからインターホン親機ＩＭに伝送された画像データ及び通話音声データを通信部４２を介してインターホン親機ＩＭから受け取るとともに受け取ったデータを所定の圧縮方式（例えば、動画像であればＭＰＥＧ４、静止画像であればＪＰＥＧ、音声であればＭＰ３など）で圧縮した後に応答メッセージとして宅内ネットワーク及び外部ネットワークを通じてセンタ装置ＳＶに転送する機能（転送機能）と、インターホン親機ＩＭの留守録機能が有効であるときにインターホン親機ＩＭが画像及び通話音声を記録した旨を宅内ネットワーク並びに外部ネットワークを通じてセンタ装置ＳＶに通知する機能（来客通知機能）と、帰宅通知機能によってインターホン親機ＩＭに家人の帰宅が通知されたときに宅内ネットワーク並びに外部ネットワークを通じてセンタ装置ＳＶに帰宅通知の応答メッセージを転送する機能（帰宅通知転送機能）とを有する。また、画像転送コントローラ制御部４０は、メモリ部４５に記録している画像の一覧等を開示するウェブコンテンツ（ウェブページ）を作成し、端末装置からの要求に応じて当該ウェブコンテンツをＬＡＮインタフェース部４１より端末装置に提供（配信）する機能（ウェブサーバ機能）を有している。なお、メモリ部４５にはＵＰｎＰのデバイス情報（機器名称、種類、サービスの一覧等）も格納されており、新たに宅内ネットワークに参加した際、画像転送コントローラ制御部４０がメモリ部４５に格納されているデバイス情報をＵＰｎＰのコントロールポイント（統合管理装置ＴＭ）に通知するようになっている。
【００４０】
図１３（ｃ）は画像転送コントローラ制御部４０が提供するウェブコンテンツの入り口となるホームページＨＰ３を示しており、サブシステムＳＳ３を示す名称「インターホン」とともに日時を示す数字が上部に表示され、他のページに切り換えるための操作釦に相当するアイコンＩ３１が下部に表示され、センサカメラＳＣやドアホン子器ＤＳのカメラをモニタしたり、電気錠を施解錠したり、各種の設定を行うための操作釦に相当するアイコンＩ３２〜Ｉ３４が中央部に表示されている。
【００４１】
次に、表示制御装置ＣＶについて説明する。表示制御装置ＣＶは住宅内の壁面に埋込配設されるものであって、図６に示すようにマイコンを主構成要素とするマイコン部５０と、宅内ネットワークのＬＡＮケーブルが接続されマイコン部５０と宅内ネットワークのインタフェースを行うＬＡＮインタフェース部５１と、液晶ディスプレイ並びにＬＥＤとそれらのドライバ回路を有する表示部５２と、押釦スイッチや液晶ディスプレイの画面上に配設されるタッチパネルを有して操作入力を受け付ける操作部５３と、マイコンで実行するプログラムや種々のデータを記憶するメモリ部５４と、スピーカとスピーカの駆動回路を有するスピーカ部５５とを備えている。また、図示は省略しているが、商用電源から所望の直流電源を作成してマイコン部５０やその他の各部に動作電源を供給するための電源回路も備えている。マイコン部５０にはウェブブラウザが実装されており、各コントローラＣｎ等から提供されるウェブコンテンツをウェブブラウザで再生して表示部５２の液晶ディスプレイに表示するとともに、操作部５３のタッチパネルが操作された位置と液晶ディスプレイに表示されているアイコン等との位置関係に応じた操作入力を受け付ける。また、メモリ部５４には予め警報音や音声メッセージのデータが圧縮して格納されており、マイコン部５０が必要に応じてメモリ部５４から読み出したデータを伸長してスピーカ部５５に出力すれば、前記警報音や音声メッセージがスピーカから鳴動される。なお、メモリ部５４にはＵＰｎＰのデバイス情報（機器名称、種類、サービスの一覧等）も格納されており、新たに宅内ネットワークに参加した際、マイコン部５０がメモリ部５４に格納されているデバイス情報をＵＰｎＰのコントロールポイント（統合管理装置ＴＭ）に通知するようになっている。
【００４２】
ところで本実施形態においては、統合管理装置ＴＭの制御部１にもウェブサーバ機能が搭載されており、各コントローラＣｎがウェブサーバ機能によって提供するウェブコンテンツ（各サブシステムＳＳｎのホームページＨＰ１〜ＨＰ３）への入り口となるウェブコンテンツ（いわゆるポータルサイト）を作成し、宅内ネットワークを通じて住宅内の端末装置（パソコンＰＣや表示制御装置ＣＶ）に提供（配信）している。このポータルサイトでは、図１４（ａ）に示すように日時を示す数字等が上部に表示され、他のページに切り換えるための操作釦に相当するアイコンＩ０１，Ｉ０２が下部に表示され、センタ装置ＳＶを呼び出したり、各コントローラＣｎで提供されるウェブコンテンツ（各サブシステムＳＳｎのホームページＨＰ１〜ＨＰ３）にリンクするアイコンＩ０３〜Ｉ０６が中央部に表示されており、何れかのアイコンＩ０３〜Ｉ０６上でタッチパネルが操作されれば、当該アイコンで表示されたリンク先のＵＲＬ（各コントローラＣｎのＩＰアドレス等）に対して表示制御装置ＣＶからウェブコンテンツの送信要求メッセージが送信される。そして、送信要求メッセージを受信したコントローラＣｎ等が自己のウェブコンテンツを表示制御装置ＣＶに対して送信すれば、前記ポータルサイトに代わって当該コントローラＣｎのウェブコンテンツ（各サブシステムＳＳｎのホームページＨＰ１〜ＨＰ３）が液晶ディスプレイに表示される。
【００４３】
ネットワークカメラＮＣは従来周知のものであって、撮像した画像を所定の圧縮方式（例えば、動画像であればＭＰＥＧ４、静止画像であればＪＰＥＧなど）で圧縮した画像データを宅内ネットワークを経由して代理サーバ装置であるセキュリティコントローラＣ２に送信したり、宅内ネットワーク経由でセキュリティコントローラＣ２から受け取った制御情報に従って撮像の実行並びにパンやチルトなどの遠隔制御が可能である。また、各ネットワークカメラＮＣはＩＰアドレスによって識別可能であるが、ＩＰアドレスとは別に識別用の名称が付与されている。かかる名称は、センタ装置ＳＶから外部ネットワーク経由又は統合管理装置ＴＭから宅内ネットワーク経由で端末装置を使って利用者が設定できる。例えば、統合管理装置ＴＭの制御部１が提供するポータルサイトにおいて、ＣＧＩ(Common Gateway Interface)を利用して各ネットワークカメラＮＣの名称を設定することができるようになっており、利用者が表示制御装置ＣＶやパソコンＰＣなどの端末装置を使って設定した名称が統合管理装置ＴＭから宅内ネットワーク経由で各ネットワークカメラＮＣに転送されて名称が付与される。
【００４４】
次に、宅内ネットワークに新たにサブシステム（例えば、ＳＳ１）が追加される場合について、図７のシーケンス図を参照して説明する。
【００４５】
サブシステムＳＳ１の配線が完了した後、設備機器コントローラＣ１を起動（電源オン）すると、ＵＰｎＰデバイスたる設備機器コントローラＣ１の設備機器コントローラ制御部１０からＵＰｎＰコントロールポイントたる統合管理装置ＴＭに対して宅内ネットワークへの参加が告知（NOTIFY）される（１）。当該告知を受け取った統合管理装置ＴＭの制御部１がＵＰｎＰデバイスを検索し（２）、告知元の設備機器コントローラＣ１からの応答として当該コントローラの種類（設備機器コントローラＣ１）やＭＡＣアドレス等のデバイス情報を受け取る（３）。さらに、ＤＨＣＰを使って、新しく宅内ネットワークに参加する設備機器コントローラＣ１にＩＰアドレスが割り当てられる。なお、統合管理装置ＴＭの制御部１は、当該設備機器コントローラＣ１から受け取ったデバイス情報を記憶部５に記憶しているリストに追加するとともにポータルサイトのリンク先として当該ＩＰアドレスを追加登録する（４）。また、設備機器コントローラＣ１の設備機器コントローラ制御部１０では割り当てられたＩＰアドレスを自己のアドレスとしてメモリ部１６に記憶する（５）。なお、他のサブシステムＳＳ２，ＳＳ３やネットワークカメラＮＣが追加される場合も共通の手順で行われるから説明は省略する。
【００４６】
次に、宅内の端末装置（例えば、表示制御装置ＣＶ）を使って設備機器Ｘｍの制御並びに監視を行う場合の動作を、図８のシーケンス図を参照して説明する。
【００４７】
まず、操作部５３の押釦スイッチが押操作されるとマイコン部５０がＬＡＮインタフェース部５１より統合管理装置ＴＭに対してポータルサイトの送信要求メッセージを送信する（１）。当該メッセージを受け取った統合管理装置ＴＭの制御部１は、図１４（ａ）に示したポータルサイトのデータを送信要求元の表示制御装置ＣＶへ送信する（２）。
【００４８】
表示制御装置ＣＶでは、統合管理装置ＴＭから受け取ったデータ（ファイル）をマイコン部５０で実行するウェブブラウザで開くことにより、液晶ディスプレイにポータルサイトを表示する（３）。そして、サブシステムＳＳ１のアイコンＩ０４上でタッチパネルが操作されれば（４）、当該アイコンＩ０４で表示されたリンク先のＵＲＬ（設備機器コントローラＣ１のＩＰアドレス）に対して、前記ウェブブラウザによってウェブコンテンツ（ホームページＨＰ１）の送信要求メッセージが送信される（５）。そして、送信要求メッセージを受信した設備機器コントローラＣ１の設備機器コントローラ制御部１０が自己のホームページＨＰ１のデータを表示制御装置ＣＶに送信すれば（６）、マイコン部５０で実行するウェブブラウザで当該データ（ファイル）を開くことによりサブシステムＳＳ１のホームページＨＰ１が表示部５２の液晶ディスプレイに表示される（７）。従って、ホームページＨＰ１に表示される情報から各設備機器Ｘ１，Ｘ２の動作状態を監視（確認）することができる（８）。
【００４９】
ここで、何れかの設備機器Ｘｍの動作状態を反転させる制御、例えば、現在点灯している照明器具（設備機器Ｘ２）を消灯させる制御を行う場合、ホームページＨＰ１において設備機器Ｘ２の動作状態を反転させる操作に対応したアイコンＩ１４（あるいはＩ１５）上でタッチパネルを操作する（９）。すると、前記ウェブブラウザによって当該アイコンＩ１４が操作されたことを示すメッセージ、つまり、照明器具（設備機器Ｘ２）の消灯制御を要求するメッセージ（要求メッセージ）が宅内ネットワークを通じて設備機器コントローラＣ１のＩＰアドレス宛に送信される（１０）。そして、この要求メッセージを受け取った設備機器コントローラＣ１の設備機器コントローラ制御部１０では、照明器具インタフェース部１４を介してリレー端子部１５のリレーをオフすることで照明器具（設備機器Ｘ２）を消灯する（１１）。その後、設備機器コントローラ制御部１０が照明器具（設備機器Ｘ２）を消灯したことに伴ってホームページＨＰ１の内容を更新し、更新したホームページＨＰ１のデータを表示制御装置ＣＶに送信すれば（１２）、表示制御装置ＣＶのマイコン部５０で実行するウェブブラウザで当該データ（ファイル）を開くことによりサブシステムＳＳ１の更新されたホームページＨＰ１が表示部５２の液晶ディスプレイに表示される（１３）。当該ホームページＨＰ１では、照明器具（設備機器Ｘ２）の動作状態が点灯から消灯に変更されている。
【００５０】
次に、携帯型の端末装置（例えば、携帯電話機ＭＰ）を使って住宅の外から設備機器Ｘｍの制御並びに監視を行う場合の動作を、図９のシーケンス図を参照して説明する。ここで、外部ネットワーク（インターネット）に対して各コントローラＣｎのウェブサーバ機能がポートを常時開放していると、例えば、悪意を持った侵入者によってシステムに異常を来す虞が高くなるので、本実施形態においては、各コントローラＣｎのウェブサーバ機能が通常はポートを閉じつつセンタ装置ＳＶに対して定期的にポーリングを行い、携帯型の端末装置から受け取った要求メッセージがセンタ装置ＳＶに保持されていれば、当該要求メッセージの宛先のコントローラＣｎによるポーリング時にセンタ装置ＳＶから要求メッセージを転送することで宅内ネットワークを保護している。
【００５１】
上述のように各コントローラＣｎからセンタ装置ＳＶに対して定期的にポーリングが行われ、センタ装置ＳＶに携帯電話機ＭＰからの要求メッセージが保持されていなければ、センタ装置ＳＶからは単に肯定応答（ＡＣＫ）がコントローラＣｎに返信されるだけである。ここで、家人が携帯電話機ＭＰを使って要求メッセージ（例えば、照明器具の動作状態の監視要求メッセージ）をセンタ装置ＳＶに送信し（１）、当該監視要求メッセージがセンタ装置ＳＶで保持された後に設備機器コントローラＣ１からポーリングされると（２）、センタ装置ＳＶは携帯電話機ＭＰから受け取って保持していた前記監視要求メッセージを設備機器コントローラＣ１に対して送信（転送）する（３）。この監視要求メッセージを受け取った設備機器コントローラＣ１では、設備機器コントローラ制御部１０が照明器具（設備機器Ｘ２）の現在の動作状態（例えば、点灯）を示す監視応答メッセージを作成してセンタ装置ＳＶに返信する（４）。当該監視応答メッセージはセンタ装置ＳＶから携帯電話機ＭＰに転送され（５）、携帯電話機ＭＰの液晶画面にセンサ装置ＳＶから転送された監視応答メッセージが表示されることで照明器具の動作状態（点灯）が確認できる。
【００５２】
また、家人が携帯電話機ＭＰを使って要求メッセージ（例えば、照明器具を消灯する制御要求メッセージ）をセンタ装置ＳＶに送信し（６）、当該制御要求メッセージがセンタ装置ＳＶで保持された後に設備機器コントローラＣ１からポーリングされると（７）、センタ装置ＳＶは携帯電話機ＭＰから受け取って保持していた前記制御要求メッセージを設備機器コントローラＣ１に対して送信（転送）する（８）。この制御要求メッセージを受け取った設備機器コントローラＣ１では、設備機器コントローラ制御部１０が照明器具インタフェース部１４を介してリレー端子部１５のリレーをオフすることで照明器具（設備機器Ｘ２）を消灯する（９）。その後、設備機器コントローラ制御部１０が照明器具（設備機器Ｘ２）を消灯したことを示す制御応答メッセージを作成してセンタ装置ＳＶに返信する（１０）。当該制御応答メッセージはセンタ装置ＳＶから携帯電話機ＭＰに転送され（１１）、携帯電話機ＭＰの液晶画面にセンサ装置ＳＶから転送された制御応答メッセージが表示されることで照明器具が消灯したことが確認できる。但し、制御要求メッセージを送信してから制御応答メッセージが返信されるまでに相当の時間（例えば、数分間）を要する場合、制御要求メッセージを受け取った旨のメッセージをセンタ装置ＳＶから携帯電話機ＭＰに送信することが望ましい。
【００５３】
次に、セキュリティシステム（サブシステムＳＳ２）において、セキュリティコントローラＣ２がセキュリティ受信器ＳＲから異常発生（例えば、火災やガス漏れの発生あるいは不審者の侵入など）を示す検知情報を取得した場合の動作を、図１０のシーケンス図を参照して説明する。
【００５４】
何れかのセキュリティ機器Ｙ１，Ｙ２で異常が検出され、セキュリティコントローラＣ２のセキュリティコントローラ制御部３０がセキュリティ受信器ＳＲから異常発生の検知情報を取得すると（１）、セキュリティコントローラ制御部３０は当該検知情報を含む応答メッセージ（以下、連携メッセージと呼ぶ。）を作成し、予め決められた相手先（例えば、設備機器コントローラＣ１と表示制御装置ＣＶ）のＩＰアドレス宛てに送信する（２）とともに、センタ装置ＳＶにも異常発生通報のためのメッセージを送信する（３）。
【００５５】
前記連携メッセージを受け取った表示制御装置ＣＶでは、マイコン部５０が受け取った連携メッセージに含まれる検知情報から発生した異常の内容（例えば、火災やガス漏れの発生あるいは不審者の侵入など）を判断し、その内容に応じた警報音（例えば、「火災が発生しました。すぐに避難してください。」あるいは「不審者が侵入しました。」などの音声メッセージ）をスピーカ部５５に鳴動させるとともに、異常の内容に応じた警報表示（例えば、「○○で火災が発生しました。」あるいは「××に不審者が侵入しました。」などのメッセージ）を表示部５２の液晶ディスプレイに表示させる（４）。
【００５６】
また、センタ装置ＳＶでは、セキュリティコントローラＣ２から受け取った異常発生の通報メッセージを、予め登録されている携帯電話機ＭＰのメールアドレスに送信することで異常の発生を外出中の家人に通知する（５）。
【００５７】
一方、連携メッセージを受け取った他のコントローラ、すなわち、設備機器コントローラＣ１と画像転送コントローラＣ３においては、設備機器コントローラ制御部１０並びに画像転送コントローラ制御部４０が受け取った連携メッセージに含まれる検知情報から発生した異常の内容を判断し、予め決められているルールに則り、必要であれば異常の内容に応じた制御動作を実行する（６）。例えば、火災が発生している場合に設備機器コントローラ制御部１０が照明器具を点灯することで避難し易くしすることが可能である。但し、ガス漏れが発生している場合、設備機器Ｘｍの動作状態が切り換えられると電源のオン又はオフに伴って発生した火花が漏れたガスに引火する虞があるので、設備機器コントローラ制御部１０では、仮に制御要求メッセージを受け取っても全ての設備機器Ｘｍについての制御を無効とする。あるいは、不審者が侵入した場合に画像転送コントローラ制御部４０がセンサカメラＳＣから監視領域を撮像した画像データを取得して不審者の侵入情報とともに統合管理装置ＴＭを介してセンタ装置ＳＶに転送することにより、外出中の利用者が携帯電話機ＭＰを使って監視領域の画像を確認することができる。
【００５８】
次に、インターホンシステム（サブシステムＳＳ３）のドアホン子器ＤＳで撮像した画像をセンタ装置ＳＶに蓄積するとともに、蓄積された画像を端末装置（例えば、携帯電話機ＭＰ）で再生する場合の動作を、図１１のシーケンス図を参照して説明する。但し、以下の説明では画像のみを蓄積する場合について説明するが、画像とともに通話音声もセンタ装置ＳＶに蓄積し且つ端末装置で再生することも可能である。
【００５９】
既に説明したように、来訪者が呼出釦を押操作すると（１）、ドアホン子器ＤＳの画像伝送機能が有効になってドアホン子器ＤＳのカメラで撮像された画像（画像データ）がインターホン親機ＩＭに伝送される。インターホン親機ＩＭは、ドアホン子器ＤＳから受け取った画像データを画像転送コントローラＣ３に伝送する（２）。画像転送コントローラＣ３においては、インターホン親機ＩＭから受け取った画像データを画像転送コントローラ制御部４０にて所定の圧縮方式（例えば、動画像であればＭＰＥＧ４、静止画像であればＪＰＥＧなど）で圧縮処理し（３）、圧縮した画像データを応答メッセージとして宅内ネットワーク及び外部ネットワークを通じてセンタ装置ＳＶに転送する（４）。センタ装置ＳＶでは、画像転送コントローラＣ３から受け取った画像データをハードディスク等の記録媒体に記録（蓄積）する（５）。
【００６０】
また、表示制御装置ＣＶにより画像転送コントローラＣ３を介してインターホン親機ＩＭの留守録機能が有効に設定されると（６）、表示制御装置ＣＶからセンタ装置ＳＶに対して留守録設定を通知するメッセージが送信される（７）。そして、留守録機能が有効に設定されているときに来訪者が呼出釦を押操作すると（８）、ドアホン子器ＤＳの画像伝送機能が有効になってドアホン子器ＤＳのカメラで撮像された画像（画像データ）がインターホン親機ＩＭに伝送され、インターホン親機ＩＭは、ドアホン子器ＤＳから受け取った画像データを画像転送コントローラＣ３に伝送する（９）とともに、当該画像データをメモリ部４５に記憶（録画）する（１０）。また、インターホン親機ＩＭから受け取った画像データを画像転送コントローラ制御部４０にて圧縮処理し（１１）、圧縮した画像データを応答メッセージとして宅内ネットワーク及び外部ネットワークを通じてセンタ装置ＳＶに転送する（１２）。
【００６１】
センタ装置ＳＶでは、画像転送コントローラＣ３から画像データが転送されると、予め登録されている携帯電話機ＭＰのメールアドレスにメッセージを送信して外出中の家人に来客を通知し（１３）、さらに、当該画像データを記録媒体に蓄積する（１４）。
【００６２】
前記メッセージを受け取った家人が来訪者を確認したい場合、携帯電話機ＭＰよりセンタ装置ＳＶに対して画像再生の要求メッセージを送信すればよい（１５）。当該要求メッセージを受け取ったセンタ装置ＳＶは、記録媒体に蓄積した前記画像データを携帯電話機ＭＰで再生可能なファイル形式に加工（変換）し（１６）、加工後の画像データを携帯電話機ＭＰに送信する（１７）。その結果、外出中の家人は携帯電話機ＭＰで再生した画像を見て来訪者を確認することができる。
【００６３】
次に、セキュリティコントローラＣ２を代理サーバ装置とし、ネットワークカメラＮＣで撮像した画像を端末装置（例えば、携帯電話機ＭＰ）で表示する場合の動作を、図１２のシーケンス図を参照して説明する。
【００６４】
携帯電話機ＭＰからセンタ装置ＳＶに対して画像モニタの要求メッセージが送信されると（１）、センタ装置ＳＶは、セキュリティシステムＳＳ２のセキュリティコントローラＣ２からポーリングされたときに（２）、セキュリティコントローラＣ２が保有している画像モニタ用のウェブページの送信要求メッセージをセキュリティコントローラＣ２に送信する（３）。当該要求メッセージを受け取ったセキュリティコントローラＣ２では、セキュリティ制御部３０がメモリ部３５に記憶している画像モニタ用のウェブページを読み出してＬＡＮインタフェース部３１よりセンタ装置ＳＶへ送信する（４）。この画像モニタ用のウェブページは、例えば、宅内ネットワークに存在する全てのネットワークカメラＮＣに付与された名称のアイコンを所定の順番に一覧で表示するものであって、センタ装置ＳＶを介して携帯電話機ＭＰに転送され（５）、携帯電話機ＭＰのウェブブラウザによって液晶画面に表示される。そして、利用者が携帯電話機ＭＰを操作して画像のモニタを希望するネットワークカメラＮＣの名称のアイコンを選択すれば、その選択結果がセンタ装置ＳＶに送信され（６）、さらにセンタ装置ＳＶからセキュリティコントローラＣ２に対して選択結果（選択されたネットワークカメラＮＣの名称）を含む画像モニタの要求メッセージが送信される（７）。この画像モニタ要求メッセージを受け取ったセキュリティコントローラＣ２のセキュリティコントローラ制御部３０は、当該名称が付与されているネットワークカメラＮＣのＩＰアドレスを宛先として画像データの取得要求メッセージを宅内ネットワーク経由で送信し（８）、当該要求メッセージを受け取ったネットワークカメラＮＣが撮像した画像データをセキュリティコントローラＣ２に送信する（９）。セキュリティコントローラＣ２においては、ネットワークカメラＮＣから受け取った画像データを応答メッセージとして宅内ネットワーク及び外部ネットワークを通じてセンタ装置ＳＶに転送する（１０）。そして、センタ装置ＳＶが転送されてきた画像データを携帯電話機ＭＰに送信し（１１）、その結果、ネットワークカメラＮＣで撮像された画像を携帯電話機ＭＰで表示して確認することができる。
【００６５】
次に、本発明の要旨となる点について説明する。
【００６６】
図１３や図１４に示すようにポータルサイトのページや各サブシステムＳＳ１〜ＳＳ３のホームページＨＰ１〜ＨＰ３で画面内に表示されるアイコンや文字は部品データとして統合管理装置ＴＭの記憶部５や各コントローラＣｎのメモリ部１６，３５，４５に予め保存されている。従来技術で説明したように、同じ部品データからなるアイコンや文字を使用していたとしても、端末装置が具備する表示デバイスの大きさ（画面サイズ）によって表示されたときのアイコンや文字の大きさは異なってしまう。従って、アイコンや文字の大きさ（サイズ）を利用者が自由に変更できることが使い勝手の観点からも望ましい。
【００６７】
そこで本実施形態では、統合管理装置ＴＭ並びに各コントローラＣｎにおいて、ウェブコンテンツ（ポータルサイトやホームページＨＰ１〜ＨＰ３）を構成するアイコンや文字などの部品について端末装置が具備する表示デバイスの画面に表示されたときの大きさなどの見た目が異なる複数種類の部品データを記憶部５並びに各メモリ部１６，３５，４５に予め記憶しておき、端末装置から宅内ネットワーク経由で受け取った指示メッセージにより指示された部品データを選択してウェブコンテンツを作成可能としている。
【００６８】
例えば統合管理装置ＴＭのポータルサイトには、図１４（ｂ）に示すように「詳細設定」という名称の操作釦に相当するアイコンＩ０７を表示するウェブページが用意されており、この操作釦（アイコンＩ０７）が端末装置において操作されると、詳細設定を行うためのウェブページの送信を要求するメッセージが宅内ネットワーク経由で統合管理装置ＴＭに送信され、当該要求メッセージに応じて統合管理装置ＴＭから詳細設定のメニューを示すウェブページが端末装置に転送され、かかるウェブページが端末装置の表示デバイスの画面に表示される（図１５（ａ）参照）。このメニュー画面では、利用者が変更可能な項目を選択するための操作釦に相当する「アイコンサイズ」、「文字サイズ」、「背景」のアイコンＩ５１〜Ｉ５３や、変更作業を終了するための操作釦に相当する「変更完了」のアイコンＩ５４などが表示される。例えば、アイコンＩ５１が操作されるとアイコンの大きさを変更するためのウェブページの送信を要求するメッセージが宅内ネットワーク経由で統合管理装置ＴＭに送信され、当該要求メッセージに応じて統合管理装置ＴＭからアイコンサイズを変更するためのウェブページが端末装置に転送され、かかるウェブページが端末装置の表示デバイスの画面に表示される（図１５（ｂ）参照）。当該ウェブページでは、それぞれに大きさが異なる大、標準、中、小の４種類のアイコンＩ６１〜Ｉ６４が表示される。なお、デフォルトでは「標準」のアイコンＩ６２が使用されている。ここで、利用者がアイコンの大きさを標準よりも小さい「小」に変更したい場合、アイコンＩ６４を操作すればよい。そうすると、アイコンＩ６４が選択されたことを示すメッセージが端末装置から宅内ネットワーク経由で統合管理装置ＴＭに送信され、選択されたアイコンＩ６４を縦横に並べたサンプルのウェブページが統合管理装置ＴＭから端末装置に転送され、かかるウェブページが端末装置の表示デバイスの画面に表示される（図１５（ｃ）参照）。そして、当該ウェブページに設けられている「決定」のアイコンＩ７１が操作されると、上述のようにアイコンＩ６４の大きさ（小サイズ）の部品データを使用するように指示する指示メッセージが端末装置から統合管理装置ＴＭに送信される。その結果、統合管理装置ＴＭでは、端末装置から受け取った指示メッセージに従い、制御部１が、記憶部５に記憶している部品データの中から小サイズのアイコンの部品データを読み出して新たにポータルサイトのデータファイルを作成して記憶部５に記憶する。但し、変更前（デフォルト）のポータルサイトのデータファイルはそのまま記憶部５に保存されている。
【００６９】
なお、文字の大きさ（文字サイズ）や背景（ウェブページの画面背景）についても、上述のアイコンの大きさを変更する手順と同様の手順で変更可能であり、また、各コントローラＣｎが提供するウェブコンテンツ（ホームページＨＰ１〜ＨＰ３等）のアイコンサイズや文字サイズ、背景等の変更についても、各コントローラＣｎのホームページＨＰ１〜ＨＰ３からリンクする詳細設定のためのウェブページを使って同様の手順で変更可能であるから詳細な説明は省略する。
【００７０】
ところで、ポータルサイトやホームページＨＰ１〜ＨＰ３におけるアイコンサイズ等の変更を宅内ネットワークに接続されている全ての端末装置に対して一律に適用するよりも、個々の端末装置毎に変更操作が行われた端末装置用のポータルサイトやホームページＨＰ１〜ＨＰ３のデータファイルを個別に作成し且つ当該端末装置のＩＰアドレスと対応付けて記憶部５やメモリ部１６，３５，４５に格納するとともに、各端末装置からのウェブコンテンツの送信要求に対して、当該要求元の端末装置用のウェブコンテンツのデータファイルを記憶部５やメモリ部１６，３５，４５から読み出して転送することが望ましい。このようにすれば、各端末装置が具備する表示デバイスの画面サイズが異なる場合や、各端末装置毎に利用者が異なる場合において、各端末装置毎あるいは各利用者毎にウェブコンテンツを最適な状態で表示することができる。
【００７１】
ここで、何れかの端末装置（例えば、パソコンＰＣ）で変更した内容（アイコンや文字の大きさなど）を参照して他の端末装置（例えば、表示制御装置ＣＶ）でウェブコンテンツに変更を加えることができれば、変更作業が容易になると考えられる。そこで、統合管理装置ＴＭの制御部１では、例えば、デフォルトのウェブコンテンツの他にパソコンＰＣで変更されたパソコン用のウェブコンテンツを記憶部５に記憶している状況において、パソコンＰＣ以外の端末装置（例えば、表示制御装置ＣＶ）からパソコン用のウェブコンテンツの送信要求メッセージを受け取ったときに記憶部５から当該パソコン用のウェブコンテンツを読み出して表示制御装置ＣＶに送信する。そして、表示制御装置ＣＶのマイコン部５０では、統合管理装置ＴＭから受け取ったパソコン用のウェブコンテンツを表示デバイスの画面に表示し、変更作業完了の操作が為されれば、パソコン用のウェブコンテンツで使用している部品データを使用して表示制御装置ＣＶ用のウェブコンテンツを作成するように指示する指示メッセージを統合管理装置ＴＭに対して送信する。このようにすれば、端末装置において他の端末装置用のウェブコンテンツを統合管理装置ＴＭから受け取るととともに他の端末装置用のウェブコンテンツを無修正で、あるいは必要箇所のみ修正するだけで自己用のウェブコンテンツを変更することができる。
【００７２】
あるいは、各コントローラＣｎの制御部１０，３０，４０において、何れかの端末装置（例えば、パソコンＰＣ）からの指示に従ってアイコンや文字の大きさ等を変更して新たにウェブコンテンツのデータファイルを作成したときに当該ウェブコンテンツに使用した部品データの情報（例えば、アイコンサイズや文字サイズ、背景の種類など）を他の全てのコントローラＣｎの制御部１０，３０，４０に宅内ネットワーク経由で通知してもよい。例えば、設備機器コントローラＣ１に対してパソコンＰＣからウェブコンテンツの変更作業が行われて新たにパソコン用のウェブコンテンツ（ホームページＨＰ１等）を作成したときに設備機器コントローラ制御部１０がパソコン用のウェブコンテンツに使用した部品データの情報をセキュリティコントローラＣ２と画像転送コントローラＣ３に宅内ネットワーク経由で通知する。そして、セキュリティコントローラＣ２あるいは画像転送コントローラＣ３のウェブコンテンツに対してアイコンサイズ等の変更を加える際、設備機器コントローラＣ１から通知されている部品データの情報を使用するように指示するだけで新たなウェブコンテンツ（ホームページＨＰ２，ＨＰ３等）が容易に作成できる。なお、部品データの情報を通知する際にブロードキャストで宅内ネットワークに送出すると不要なネットワーク端末（ネットワークカメラＮＣや端末装置など）にもパケットが送信されることになって通信量が必要以上に増大してしまう虞がある。したがって、部品データの情報については、必要なネットワーク端末、すなわち、各コントローラＣｎのみに伝送されるようにユニキャストでパケットを送出することが望ましい。
【００７３】
ところで、アイコンや文字等の部品データを新たに追加する場合、メモリカードのような可搬形の記憶媒体に記憶させた追加の部品データを統合管理装置ＴＭや各コントローラＣｎに読み込ませて記憶部５やメモリ部１６，３５，４５に記憶するか、あるいはセンタ装置ＳＶから外部ネットワーク経由で追加の部品データを転送するようにしてもよく、新たな機能の追加に伴う部品データの追加等に容易に対応することができる。
【図面の簡単な説明】
【００７４】
【図１】本実施形態のシステム構成図である。
【図２】同上における統合管理装置のブロック図である。
【図３】同上における設備機器コントローラのブロック図である。
【図４】同上におけるセキュリティコントローラのブロック図である。
【図５】同上における画像転送コントローラのブロック図である。
【図６】同上における表示制御装置のブロック図である。
【図７】同上における動作説明用のシーケンス図である。
【図８】同上における動作説明用のシーケンス図である。
【図９】同上における動作説明用のシーケンス図である。
【図１０】同上における動作説明用のシーケンス図である。
【図１１】同上における動作説明用のシーケンス図である。
【図１２】同上における動作説明用のシーケンス図である。
【図１３】（ａ）〜（ｃ）は同上における各サブシステムのウェブコンテンツの説明図である。
【図１４】（ａ），（ｂ）は同上における統合管理装置のウェブコンテンツの説明図である。
【図１５】（ａ）〜（ｃ）は同上におけるウェブコンテンツの変更手順を説明する説明図である。
【符号の説明】
【００７５】
ＳＳ１〜ＳＳ３  サブシステム
ＴＭ  統合管理装置
Ｃ１  設備機器コントローラ
Ｃ２  セキュリティコントローラ
Ｃ３  画像転送コントローラ
Ｘ１，Ｘ２  設備機器
ＳＲ  セキュリティ受信器
Ｙ１，Ｙ２  セキュリティ機器
ＣＶ  表示制御装置
ＳＶ  センタ装置
ＭＰ  携帯電話機
ＮＣ  ネットワークカメラ
【図１】
2008211383.tif 000003
【図２】
2008211383.tif 000004
【図３】
2008211383.tif 000005
【図４】
2008211383.tif 000006
【図５】
2008211383.tif 000007
【図６】
2008211383.tif 000008
【図７】
2008211383.tif 000009
【図８】
2008211383.tif 000010
【図９】
2008211383.tif 000011
【図１０】
2008211383.tif 000012
【図１１】
2008211383.tif 000013
【図１２】
2008211383.tif 000014
【図１３】
2008211383.tif 000015
【図１４】
2008211383.tif 000016
【図１５】
2008211383.tif 000017